(57)【要約】      （修正有）【課題】輸送制限値を超えることなく断熱性能を向上させた建物ユニット輸送方法、建物ユニット、ユニット建物を提供する。【解決手段】建物外側面に設けられると共に外壁面材２４と外壁フレーム２２と断熱材２６と含んで構成された外壁パネル１４と、柱１６と天井大梁１８と床大梁とで箱型に形成された躯体フレーム１２を有し、一方の桁側側面３５にのみ外壁パネル１４が取り付けられた場合における一方の桁側側面３５の外壁パネル１４の意匠面８６から他方の桁側側面３５に面する柱１６の建物外側面７４までの寸法が輸送制限値以内とされると共に、一方の桁側側面３５及び他方の桁側側面３５に外壁パネル１４がそれぞれ取り付けられた場合における一方の桁側側面３５の外壁パネル１４の意匠面８６から他方の桁側側面３５の外壁パネル１４の意匠面８６までの寸法が輸送制限値超えされた建物ユニット１０。【選択図】図４
2015161160.tif 000002
【特許請求の範囲】
【請求項１】
建物外側面に設けられると共に外壁面材と外壁フレームと断熱材とを含んで構成された外壁パネルと、
柱と梁とで箱型に形成された躯体フレームを有し、前記躯体フレームの一方の桁側側面及び前記一方の桁側側面と対向する前記躯体フレームの他方の桁側側面に前記外壁面材と前記外壁フレームとが取り付けられた場合における前記一方の桁側側面の前記外壁面材の建物外側面から前記他方の桁側側面の外壁面材の建物外側面までの寸法、並びに、前記一方の桁側側面にのみ前記外壁パネルが取り付けられた場合における前記一方の桁側側面の前記外壁パネルの建物外側面から前記他方の桁側側面に面する前記柱の建物外側面までの寸法が、輸送制限値以内とされると共に、前記一方の桁側側面及び前記他方の桁側側面に前記外壁パネルがそれぞれ取り付けられた場合における前記一方の桁側側面の前記外壁パネルの建物外側面から前記他方の桁側側面の前記外壁パネルの建物外側面までの寸法が輸送制限値を超える建物ユニットに適用され、
予め工場内で前記建物ユニットの前記一方の桁側側面に前記外壁パネルを取り付ける第１外壁取り付け工程と、前記一方の桁側側面に前記外壁パネルが取り付けられた前記建物ユニットを建築地へ輸送して当該建築地において前記他方の桁側側面に前記外壁パネルと同一の構成とされた外壁パネルを取り付ける第２外壁取り付け工程と、を有する、
建物ユニット輸送方法。
【請求項２】
前記外壁パネルは、前記躯体フレームへ取り付けられる前記外壁フレームと、前記外壁フレームの建物外側に設けられた前記断熱材と、前記断熱材を前記外壁フレームとの間に有して前記外壁フレームへ取り付けられた前記外壁面材と、を備えた、
請求項１記載の建物ユニット輸送方法。
【請求項３】
前記断熱材は、前記外壁面材の厚さと同等の厚さとされた、
請求項１又は請求項２記載の建物ユニット輸送方法。
【請求項４】
柱と梁とで箱型に形成された躯体フレームと、
前記躯体フレームの一方の桁側側面と前記一方の桁側側面と対向する前記躯体フレームの他方の桁側側面とにそれぞれ取り付けられ、外壁面材と外壁フレームと断熱材とを含んで構成された一対の外壁パネルと、
を有し、
前記躯体フレームの前記一方の桁側側面と前記躯体フレームの前記他方の桁側側面とに前記外壁面材と前記外壁フレームとが取り付けられた場合における前記一方の桁側側面の前記外壁面材の建物外側面から前記他方の桁側側面の外壁面材の建物外側面までの寸法、並びに、前記一方の桁側側面にのみ前記外壁パネルが取り付けられた場合における前記一方の桁側側面の前記外壁パネルの建物外側面から前記他方の桁側側面に面する前記柱の建物外側面までの寸法が、輸送制限値以内とされると共に、前記一方の桁側側面及び前記他方の桁側側面に前記外壁パネルがそれぞれ取り付けられた場合における前記一方の桁側側面の前記外壁パネルの建物外側面から前記他方の桁側側面の前記外壁パネルの建物外側面までの寸法が輸送制限値を超えている、
建物ユニット。
【請求項５】
前記外壁パネルは、前記躯体フレームへ取り付けられる前記外壁フレームと、前記外壁フレームの建物外側に設けられた前記断熱材と、前記断熱材を前記外壁フレームとの間に有して前記外壁フレームへ取り付けられた前記外壁面材と、を備えた、
請求項４記載の建物ユニット。
【請求項６】
前記断熱材は、前記外壁面材の厚さと同等の厚さとされた、
請求項４又は請求項５記載の建物ユニット。
【請求項７】
請求項４〜請求項６に記載された建物ユニットを含んで構成された、
ユニット建物。
【請求項８】
前記建物ユニットと前記建物ユニットに隣接しかつ桁側側面に外壁パネルが取り付けられない内部建物ユニットとが隣接する場合における前記建物ユニットと前記内部建物ユニットとのそれぞれの柱のうち建物外側に配置されかつ隣り合う位置に配置された一対の柱の建物外側面には、前記建物ユニットと前記内部建物ユニットとの妻側側面にそれぞれ取り付けられた外壁パネルを連結する連結外壁パネルが取り付けられると共に、
前記内部建物ユニット同士が隣接する場合における一方の前記内部建物ユニットと他方の前記内部建物ユニットとのそれぞれの柱のうち前記ユニット建物の建物外側に配置されかつ隣り合う位置に配置された一対の柱の建物外側面には、前記一方の内部建物ユニットの妻側側面に取り付けられた前記外壁パネルと前記他方の内部建物ユニットの妻側側面に取り付けられた前記外壁パネルとがそれぞれ取り付けられ、かつ、それぞれの前記外壁パネルの対向する端部同士が隣り合って配置されている、
請求項７記載のユニット建物。
【発明の詳細な説明】
【技術分野】
【０００１】
本発明は、建物ユニット輸送方法、建物ユニット、ユニット建物に関する。
【背景技術】
【０００２】
下記特許文献１には、建物外壁構造において、建物外側に外壁パネルが設けられると共に、建物内側に内壁パネルが設けられた構造が開示されている。具体的には、外壁パネルは外壁面材と外壁面材の裏面側に固定された外壁フレームとで構成されており、外壁フレームを建物の天井大梁及び床大梁の建物外側面に取り付けることで外壁パネルが建物側面に取り付けられている。また、内壁パネルは内壁面材と内壁面材の裏面側に固定された内壁フレームと内壁フレームの枠内に組み込まれた断熱材とで構成されており、内壁フレームを外壁フレームに取り付けることで内壁パネルが建物に取り付けられている。
【先行技術文献】
【特許文献】
【０００３】
【特許文献１】特開２０１１−１１１７８４号公報
【発明の概要】
【発明が解決しようとする課題】
【０００４】
上記先行技術による建物外壁構造の場合、断熱材は内壁パネル内に設けられている。このため、外壁パネルが取り付けられる建物ユニットの断熱性能を向上させるためには、建物の天井大梁、床大梁及び柱の建物外側面にも断熱材を設けること（いわゆる外断熱工法）が望ましい。しかしながら、あらかじめ規定のサイズとされた複数の建物ユニットで構成されたユニット建物では、建物ユニット内の室内空間を可能な限り広くするために建物ユニットの側面に外壁パネルを取り付けた状態（工場出荷状態）での妻方向の寸法は道路交通法上の輸送制限値を超えない範囲で略同一とされている。したがって、外壁パネルに断熱材を設けると、建物ユニットの桁方向及び妻方向の寸法が増加し輸送制限値を超えてしまうため、外壁面材と外壁フレームとの間に断熱材を設けることができない。
【０００５】
本発明は上記問題を考慮し、輸送制限値を超えることなく断熱性能を向上させた建物ユニット輸送方法、建物ユニット、ユニット建物を得ることを目的とする。
【課題を解決するための手段】
【０００６】
請求項１記載の発明に係る建物ユニット輸送方法は、建物外側面に設けられると共に外壁面材と外壁フレームと断熱材とを含んで構成された外壁パネルと、柱と梁とで箱型に形成された躯体フレームを有し、前記躯体フレームの一方の桁側側面及び前記一方の桁側側面と対向する前記躯体フレームの他方の桁側側面に前記外壁面材と前記外壁フレームとが取り付けられた場合における前記一方の桁側側面の前記外壁面材の建物外側面から前記他方の桁側側面の外壁面材の建物外側面までの寸法、並びに、前記一方の桁側側面にのみ前記外壁パネルが取り付けられた場合における前記一方の桁側側面の前記外壁パネルの建物外側面から前記他方の桁側側面に面する前記柱の建物外側面までの寸法が、輸送制限値以内とされると共に、前記一方の桁側側面及び前記他方の桁側側面に前記外壁パネルがそれぞれ取り付けられた場合における前記一方の桁側側面の前記外壁パネルの建物外側面から前記他方の桁側側面の前記外壁パネルの建物外側面までの寸法が輸送制限値を超える建物ユニットに適用され、予め工場内で前記建物ユニットの前記一方の桁側側面に前記外壁パネルを取り付ける第１外壁取り付け工程と、前記一方の桁側側面に前記外壁パネルが取り付けられた前記建物ユニットを建築地へ輸送して当該建築地において前記他方の桁側側面に前記外壁パネルと同一の構成とされた外壁パネルを取り付ける第２外壁取り付け工程と、を有している。
【０００７】
請求項２記載の発明に係る建物ユニット輸送方法は、請求項１に記載の建物ユニット輸送方法において、前記外壁パネルは、前記躯体フレームへ取り付けられる前記外壁フレームと、前記外壁フレームの建物外側に設けられた前記断熱材と、前記断熱材を前記外壁フレームとの間に有して前記外壁フレームへ取り付けられた前記外壁面材と、を備えている。
【０００８】
請求項３記載の発明に係る建物ユニット輸送方法は、請求項１又は請求項２に記載の建物ユニット輸送方法において、前記断熱材は、前記外壁面材の厚さと同等の厚さとされている。
【０００９】
請求項４記載の発明に係る建物ユニットは、柱と梁とで箱型に形成された躯体フレームと、前記躯体フレームの一方の桁側側面と前記一方の桁側側面と対向する前記躯体フレームの他方の桁側側面とにそれぞれ取り付けられ、外壁面材と外壁フレームと断熱材とを含んで構成された一対の外壁パネルと、を有し、前記躯体フレームの前記一方の桁側側面と前記躯体フレームの前記他方の桁側側面とに前記外壁面材と前記外壁フレームとが取り付けられた場合における前記一方の桁側側面の前記外壁面材の建物外側面から前記他方の桁側側面の外壁面材の建物外側面までの寸法、並びに、前記一方の桁側側面にのみ前記外壁パネルが取り付けられた場合における前記一方の桁側側面の前記外壁パネルの建物外側面から前記他方の桁側側面に面する前記柱の建物外側面までの寸法が、輸送制限値以内とされると共に、前記一方の桁側側面及び前記他方の桁側側面に前記外壁パネルがそれぞれ取り付けられた場合における前記一方の桁側側面の前記外壁パネルの建物外側面から前記他方の桁側側面の前記外壁パネルの建物外側面までの寸法が輸送制限値を超えている。
【００１０】
請求項５記載の発明に係るユニット建物は、請求項４に記載の建物ユニットにおいて、  前記外壁パネルは、前記躯体フレームへ取り付けられる前記外壁フレームと、前記外壁フレームの建物外側に設けられた前記断熱材と、前記断熱材を前記外壁フレームとの間に有して前記外壁フレームへ取り付けられた前記外壁面材と、を備えている。
【００１１】
請求項６記載の発明に係るユニット建物は、請求項４又は請求項５に記載の建物ユニットにおいて、前記断熱材は、前記外壁面材の厚さと同等の厚さとされている。    
【００１２】
請求項７記載の発明に係るユニット建物は、請求項４〜請求項６に記載された建物ユニットを含んで構成されている。
【００１３】
請求項８記載の発明に係るユニット建物は、請求項７に記載のユニット建物において、前記建物ユニットと前記建物ユニットに隣接しかつ桁側側面に外壁パネルが取り付けられない内部建物ユニットとが隣接する場合における前記建物ユニットと前記内部建物ユニットとのそれぞれの柱のうち建物外側に配置されかつ隣り合う位置に配置された一対の柱の建物外側面には、前記建物ユニットと前記内部建物ユニットとの妻側側面にそれぞれ取り付けられた外壁パネルを連結する連結外壁パネルが取り付けられると共に、前記内部建物ユニット同士が隣接する場合における一方の前記内部建物ユニットと他方の前記内部建物ユニットとのそれぞれの柱のうち前記ユニット建物の建物外側に配置されかつ隣り合う位置に配置された一対の柱の建物外側面には、前記一方の内部建物ユニットの妻側側面に取り付けられた前記外壁パネルと前記他方の内部建物ユニットの妻側側面に取り付けられた前記外壁パネルとがそれぞれ取り付けられ、かつ、それぞれの前記外壁パネルの対向する端部同士が隣り合って配置されている。
【００１４】
請求項１記載の本発明によれば、輸送時の建物ユニットは、妻側の寸法を輸送制限値以内とするために躯体フレームの一方の桁側側面にのみ外壁面材、外壁フレーム及び断熱材で構成された外壁パネルが取り付けられ、他方の桁側側面には外壁パネルが取り付けられずに輸送される。この建物ユニットの寸法は、躯体フレームの一方の桁側側面と他方の桁側側面とに外壁面材と外壁フレームとが取り付いた状態で輸送制限値以下とされている。このことから、他方の桁側側面に外壁面材及び外壁フレームを有する外壁パネルを取り付けないことで寸法に余裕が産まれ、その余裕寸法分の断熱材を、外壁面材及び外壁フレームと共に外壁パネルとして躯体フレームの一方の桁側側面に取り付けることができる。したがって、建物ユニットの天井大梁、床大梁及び柱の建物外側面にも断熱材を設けることができる。
【００１５】
請求項２記載の本発明によれば、外壁フレームと外壁面材との間に断熱材が設けられているため、躯体フレームを介した建物ユニットの内外の熱の伝導を抑制することができる。
【００１６】
請求項３記載の本発明によれば、外壁面材と外壁フレームとが建物ユニットの一方の桁側側面及び他方の桁側側面に取り付けられた場合における妻側の寸法は輸送制限値以下とされている。このことから、一方の桁側側面に外壁面材と外壁フレームとを有する外壁パネルを取り付けずに、他方の桁側側面に外壁面材の厚さと同等の断熱材を外壁面材及び外壁フレームと共に外壁パネルとして取り付けた場合における妻側の寸法は輸送制限値以下となる。したがって、建物ユニットの天井大梁、床大梁及び柱の建物外側面に断熱材を設けた構成の建物ユニットを車両で輸送することができる。
【００１７】
請求項４記載の本発明によれば、請求項１に記載された建物ユニット輸送方法によって輸送された建物ユニットと同様の構成とされていることから、断熱材を有する外壁パネルを完成状態で一方の桁側側面及び他方の桁側側面の両方に取り付けることができる。これにより、建物ユニットの天井大梁、床大梁及び柱の建物外側面に断熱材が設けられる。
【００１８】
請求項５記載の本発明によれば、請求項２に記載された建物ユニット輸送方法によって輸送された建物ユニットと同様の構成とされていることから、前述した作用がそのまま本発明でも当てはまる。したがって、外壁フレームと外壁面材との間に断熱材が設けられているため、躯体フレームを介した建物ユニットの内外の熱の伝導を抑制することができる。
【００１９】
請求項６記載の本発明によれば、請求項３に記載された建物ユニット輸送方法によって輸送された建物ユニットと同様の構成とされていることから、前述した作用がそのまま本発明でも当てはまる。したがって、建物ユニットの天井大梁、床大梁及び柱の建物外側面に断熱材を設けた構成の建物ユニットを車両で輸送することができる。
【００２０】
請求項７記載の本発明によれば、ユニット建物は内部に断熱材を有する外壁パネルが躯体フレームに取り付けられることで天井大梁、床大梁及び柱の建物外側面に断熱材が設けられた建物ユニットを含んで構成されている。したがって、ユニット建物での熱の伝導を抑制することができる。
【００２１】
請求項８記載の本発明によれば、ユニット建物を構成する建物ユニットと内部建物ユニットとが隣り合う場合のそれぞれの柱の建物外側面に連結外壁パネルが取り付けられることで、建物ユニットの外壁パネルと内部建物ユニットの外壁パネルとが連結される。また、内部建物ユニットには桁側側面に外壁パネルが取り付けられないため、妻側側面に取り付けられる外壁パネルの妻方向の長さを輸送制限値まで延長することができる。すなわち、妻側側面の外壁パネルの妻方向での一方の端部を躯体フレームの柱から外壁パネルの板厚と同等量突出させることができる。この一方の端部が突出された外壁パネルを有する内部建物ユニット同士を隣接させる場合、外壁パネルの突出した一方の端部同士を隣り合って配置させることで、内部建物ユニット自体の妻方向の寸法を輸送制限値以内としかつ連結外壁パネルを不要とすることができる。つまり、輸送制限値を超えることなく部品点数を減らすことができる。
【発明の効果】
【００２２】
請求項１〜７記載の本発明に係る建物ユニット輸送方法、建物ユニット、ユニット建物は、輸送制限値を超えることなく断熱性能を向上させることができるという優れた効果を有する。
【００２３】
請求項８記載の本発明に係るユニット建物は、コストを低減させることができるという優れた効果を有する。
【図面の簡単な説明】
【００２４】
【図１】第１実施形態に係る建物ユニットの輸送時の状態の一例を示す外観斜視図である。
【図２】第１実施形態に係る建物ユニットを建物上下方向で切断した状態を示す拡大断面図である。
【図３】第１実施形態に係る建物ユニットを建物上下方向と直交する向きで切断した状態を示す拡大断面図である。
【図４】第１実施形態に係る建物ユニットを示す平面図である。
【図５】第１実施形態に係る建物ユニットを車両で輸送している状態を概略的に示した斜視図である。
【図６】対比例に係る建物ユニットを示す平面図である。
【図７】対比例に係る建物ユニットを建物上下方向で切断した状態を示す拡大断面図である。
【図８】第２実施形態に係る建物ユニットにおけるＬ型柱部外壁パネルと躯体フレームとの関係を示す拡大断面図である。
【図９】第２実施形態に係るユニット建物における板状柱部外壁パネルと建物ユニットとの関係を示す拡大断面図である。
【図１０】第２実施形態に係るユニット建物を建物上下方向で切断した状態を示す拡大断面図である。
【発明を実施するための形態】
【００２５】
以下、図１〜図５を用いて、本発明に係る建物ユニット、ユニット建物及び外壁パネル輸送方法の第１実施形態について説明する。
【００２６】
図１に示されるように、建物ユニット１０は、躯体フレーム１２とその躯体フレーム１２の建物外側に取り付けられる外壁パネル１４とを備えた構成とされている。躯体フレーム１２は、いわゆる箱型に形成され、躯体フレーム１２の四隅に立設された柱１６と、柱１６の上端部同士を連結する長短二種類の天井大梁１８と、柱１６の下端部同士を連結する長短二種類の床大梁２０と、によって構成されている。
【００２７】
図２に示されるように、外壁パネル１４は、外壁フレーム２２と外壁面材２４と断熱材２６とにより構成されている。外壁フレーム２２は、間柱１７と、支持金物２８と、Ｌ型アングル材３０と、横桟１９と、により構成されている。間柱１７は、角柱状に形成されており、かつ、間柱１７は建物上下方向を長手方向として複数配置されている。また、複数の間柱１７同士は、天井大梁１８及び床大梁２０に沿って間隔を空けて設けられている。さらに、間柱１７は、金属より熱伝導率の低い材質で構成されており、本実施形態では木材により構成されている。
【００２８】
支持金物２８は、建物上下方向上側に位置する取付部３２と、取付部３２の下方に設けられる延出部３４によって構成されている。この取付部３２は、略箱状かつこの略箱形状における建物上下方向上側に位置する上面及び躯体フレーム１２側に設けられて躯体フレーム１２と当接する側面３６と対向する位置の側面が取り除かれた形状に形成されている。
【００２９】
延出部３４は、取付部３２の建物上下方向下側に位置する下面３８から建物上下方向に沿って下側に延出されている。この延出部３４は、建物上下方向に直交する面で切断した断面が略Ｕ字状に形成されており、断面略Ｕ字状の開口が建物内側に向けられるように設けられている。
【００３０】
延出部３４の建物上下方向下側には、延出部３４の対向する側面が建物上下方向下側に延出した間柱挟持部４０が設けられている。間柱挟持部４０には、板厚方向に貫通された図示しない締結用穴が建物上下方向に沿って複数並んで設けられている。そして、間柱挟持部４０に間柱１７の上端部４４が挿入されている。この状態で、複数のビス４６を締結用穴内に挿入し締結することによって支持金物２８は間柱１７の上端部４４に固定される。なお、支持金物２８は、上端部４４と同様に間柱１７の下端部４２にも取り付けられた構成とされており、下端部４２に取り付けられた支持金物２８は、上端部４４における支持金物２８と建物上下方向に直交する面で面対称となるように取り付けられている。
【００３１】
支持金物２８の取付部３２の側面３６には、板厚方向に貫通された図示しないボルト締結穴が設けられている。このボルト締結穴は、躯体フレーム１２の天井大梁１８及び床大梁２０の建物外側面４８にあらかじめ設けられている板厚方向に貫通された図示しない支持金物固定穴と同一軸上の位置に設けられている。これにより、支持金物２８のボルト締結穴と躯体フレーム１２の支持金物固定穴とにボルト５０を挿通させてナット５２で締結することで、支持金物２８は躯体フレーム１２の天井大梁１８及び床大梁２０に取り付けられる。
【００３２】
間柱１７の上端部４４の端部面５４には、連結延設部材としてのＬ型アングル材３０が取り付けられている。このＬ型アングル材３０は、建物上下方向に沿って立設されたアングル材側面５８とアングル材側面５８の下縁５６からアングル材側面５８に対し直交する方向に延出されたアングル材底面６０とで断面がＬ字型に形成されている。また、間柱１７の長手方向と直交する方向に延設されている。
【００３３】
Ｌ型アングル材３０は、Ｌ型アングル材３０の断面内側が建物内側方向へと向けられると共に、アングル材底面６０の建物上下方向下側に設けられる断面外側面３９と間柱１７の端部面５４とが当接されている。そして、アングル材底面６０に設けられた板厚方向に貫通された図示しないビス締結穴にビス４６を挿通させて締め付けることで、間柱１７へ取り付けられている。
【００３４】
また、Ｌ型アングル材３０は、天井大梁１８及び床大梁２０に沿って間隔を空けるように複数設けられている他の間柱１７にも前述と同様の構成で取り付けられている。さらに、間柱１７の下端部４２には、上端部４４と同様の構成でＬ型アングル材３０が取り付けられている。したがって、複数の間柱１７の上端部４４同士及び下端部４２同士はそれぞれＬ型アングル材３０を介して連結されている。
【００３５】
間柱１７の上端部４４に取り付けられたＬ型アングル材３０は、アングル材側面５８の建物内側面が建物ユニット１０の天井大梁１８の建物外側面４８と接すると共に、アングル材底面６０の建物上下方向の上側に設けられる断面内側面４１が天井板６２と間隙を有して設けられている。また、間柱１７の下端部４２に取り付けられたＬ型アングル材３０は、アングル材側面５８の建物内側面が建物ユニット１０の床大梁２０の建物外側面４８と接すると共に、アングル材底面６０の断面内側面４１が床板６４と接する位置に設けられている。
【００３６】
支持金物２８の延出部３４と天井大梁１８の建物外側面４８及び床大梁２０の建物外側面４８との間には、間隙６６が設けられている。この間隙６６内には、間隙用断熱材６８が設けられている。
【００３７】
間柱１７の建物外側面には、一例として木材で構成された横桟１９が複数設けられている。この横桟１９は建物水平方向を長手方向として取り付けられていると共に、隣接する横桟１９同士が建物上下方向に沿って間隔を空けるように間柱１７へ取り付けられている。
【００３８】
図３に示されるように、複数の間柱１７同士の間には、空間７０が形成されると共に、空間７０内に内側断熱材３１が設けられる。この内側断熱材３１は、一例として繊維系断熱材で構成されており、空間７０を埋めるように設けられている。
【００３９】
断熱材２６は、一例として樹脂系断熱材で構成されかつ外壁面材２４の板厚と略同一の板厚とされた第一断熱材２７と、第一断熱材２７と同様に一例として樹脂系断熱材で構成されかつ第一断熱材２７の板厚と後述する通気胴縁７２の板厚とを合計した寸法と略同一の板厚とされた第二断熱材２９とで構成されている。第一断熱材２７及び第二断熱材２９は、隣接する横桟１９同士の間に設けられている。
【００４０】
第一断熱材２７の建物外側面７６には、通気胴縁７２が複数設けられている。この通気胴縁７２は、角柱状に形成されていると共に、第一断熱材２７を間柱１７との間に有して間柱１７と対向する位置に建物上下方向を長手方向として横桟１９へ取り付けられている。この結果、通気胴縁７２の建物外側面７４と第二断熱材２９の建物外側面７７とは略同一面上に位置するように配置される。
【００４１】
外壁面材２４は、建物外側面としての意匠面８６を建物外側に向けて通気胴縁７２の建物外側面７４に図示しないねじ等により取り付けられている。したがって、通気胴縁７２と接合されている箇所以外では、外壁面材２４は第一断熱材２７と間隙６６を有している。また、間柱１７の建物内側には、内壁下地７８が取り付けられており、この内壁下地７８の建物内側には室内側の壁である内壁面材８０が取り付けられている。
【００４２】
次に、図４、５を用いて、上述した建物ユニット１０の建物ユニット輸送方法について説明する。
【００４３】
図４に示されるように、建物ユニット１０は、この建物ユニット１０を生産する工場内で躯体フレーム１２の一方の桁側側面３５及び一方の妻側側面３７にのみ外壁パネル１４が取り付けられている。すなわち、対向する他方の桁側側面３５及び他方の妻側側面３７には外壁パネル１４は取り付けられていない状態で工場から出荷される。なお、この工程が、請求項１記載の「第１外壁取り付け工程」に相当する。また、前述の他方の妻側側面３７には外壁パネル１４が取り付けられた状態としてもよい。
【００４４】
次に、図５に示されるように、工場から出荷された建物ユニット１０は、トラック８２等の車両により建物ユニット１０によって構成されるユニット建物の建築地へと輸送される。建築地へと輸送された建物ユニット１０は基礎上に載置されると共に、外壁パネル１４が取り付けられていない他方の桁側側面３５には別のトラック８２等により輸送された外壁パネル１４と同一の構成とされた別の外壁パネル１５が取り付けられる。この別の外壁パネル１５は、外壁面材２４と外壁フレーム２２と断熱材２６とを備えている点が外壁パネル１４と同一であり、断熱材２６の板厚が外壁パネル１４の断熱材２６と異なっていたり、外壁フレーム２２の構成が外壁パネル１４の外壁フレーム２２と異なっていてもよい。なお、この工程が、請求項１記載の「第２外壁取り付け工程」に相当する。
【００４５】
（第１実施形態の作用・効果）
次に、本実施形態の作用並びに効果を説明する。
【００４６】
ここで、図６、７に示される対比例を用いながら、本実施形態の作用並びに効果を説明することにする。なお、本実施形態と同一構成部分については同一番号を付してその説明を省略する。
【００４７】
図７に示されるように、建物ユニット１００には、躯体フレーム１０１と、躯体フレーム１０１の建物外側に取り付けられる外壁パネル１０２と、外壁パネル１０２の建物内側にブロック１１７を介して取り付けられる内壁パネル１０４とを備えた構成とされている。
【００４８】
外壁パネル１０２は、外壁面材１０６と外壁面材１０６の裏面側に固定された外壁フレーム１０８とで構成されており、外壁フレーム１０８を建物ユニット１００の天井大梁１１０及び床大梁１１２に取り付けることで外壁パネル１０２が躯体フレーム１０１に取り付けられている。また、内壁パネル１０４は内壁面材１１４と内壁面材１１４の裏面側に固定された内壁フレーム１１６と内壁フレーム１１６の枠内に組み込まれた内側断熱材１１８とで構成されており、内壁フレーム１１６をブロック１１７を介して外壁フレーム１０８に取り付けることで内壁パネル１０４が躯体フレーム１０１に取り付けられている。
【００４９】
通常、建物ユニット１００の躯体フレーム１０１に対する外壁パネル１０２及び内壁パネル１０４の取り付け作業は工場で行われる。そして、工場から建物ユニット１００によって構成されるユニット建物の建築地までは、図５に示されるようにトラック８２等の車両により輸送される。具体的には、トラック８２の荷台８４に建物ユニット１００を搭載した状態で輸送される。このため、建物ユニット１００のサイズは、道路交通法上の積載物の輸送制限値以下にする必要がある。
【００５０】
この道路交通法上の積載部の輸送制限値は、車両進行方向を積載物の長さとし、車両進行方向に対し水平面上で直交する方向を積載物の幅とすると、長さの寸法よりも幅の寸法の方が短い。このため、直方体形状とされている建物ユニット１００は、桁方向をトラック８２の荷台８４の長手方向とした向きで搭載される。この結果、建物ユニット１００の桁方向の寸法に比べて妻方向の寸法Ｄが道路交通法上の積載物の寸法制限値に対し余裕が無い。
【００５１】
一方、建物ユニット１００は、内部の室内空間を大きくするために建物ユニット１００のサイズを可能な限り大きくすることが望ましい。したがって、建物ユニット１００の妻方向の寸法Ｄは工場出荷状態である外壁パネル１０２が躯体フレーム１０１に取り付けられた状態で道路交通法上の積載物の輸送制限値を超えない範囲で略同一とされている。
【００５２】
外壁パネル１０２が取り付けられる建物ユニット１００の断熱性能を向上させるためには、建物ユニット１００の天井大梁１１０、床大梁１１２及び柱１２０の建物外側面にも断熱材を設けることが望ましい。しかしながら、上述のとおり建物ユニット１００の妻方向の寸法は道路交通法上の輸送制限値を超えない範囲で略同一とされている。したがって、外壁パネル１０２に断熱材を設けると、建物ユニット１００の桁方向及び妻方向の寸法が増加し、特に妻方向の場合は寸法が輸送制限値を超えてしまうため、外壁面材１０６と外壁フレーム１０８との間に断熱材を設けることができない。この結果、建物ユニット１００の断熱性能を向上させることができない。
【００５３】
これに対し、図４に示されるように、本発明によれば、輸送時の建物ユニット１０は、妻側の寸法を輸送制限値以内とするために躯体フレーム１２の一方の桁側側面３５にのみ外壁面材２４、外壁フレーム２２及び断熱材２６で構成された外壁パネル１４が取り付けられ、対向する他方の桁側側面３５には外壁パネル１４が取り付けられずに輸送される。この建物ユニット１０の寸法は、躯体フレーム１２の一方の桁側側面３５と他方の桁側側面３５とに外壁面材２４及び外壁フレーム２２が取り付いた状態で輸送制限値以下とされている。このことから、他方の桁側側面３５に外壁面材２４及び外壁フレーム２２を有する外壁パネル１４を取り付けないことで寸法に余裕が産まれ、その余裕寸法分と略同一の板厚とされた断熱材２６を、外壁面材２４及び外壁フレーム２２と共に外壁パネル１４として躯体フレーム１２の一方の桁側側面３５に取り付けることができる。したがって、建物ユニット１０の輸送時に輸送制限値以上とならずに天井大梁１８、床大梁２０及び柱１６の建物外側面にも断熱材２６を設けることができる。また、建物ユニット１０の他方の桁側側面３５には、別のトラック８２等により輸送された外壁パネル１５をユニット建物の建築地において取り付けることで、完成状態で建物ユニット１０の一方の桁側側面３５と同様に他方の桁側側面３５の天井大梁１８、床大梁２０及び柱１６の建物外側面に断熱材２６を設けることができる。なお、建物ユニット１０の桁側側面３５に限らず、輸送制限値が比較的緩い妻側側面３７も桁側側面３５と同様に断熱材２６を含んだ外壁パネル１４を当然設けることができる。これにより、輸送制限値を超えることなく完成状態で建物ユニット１０の全側面の天井大梁１８及び床大梁２０の建物外側面４８と柱１６の建物外側面７４とに断熱材を設けることができる。
【００５４】
また、外壁フレーム２２と外壁面材２４との間に断熱材２６が設けられているため、躯体フレーム１２を介した建物ユニット１０の内外の熱の伝導を抑制することができる。
【００５５】
さらに、外壁面材２４と外壁フレーム２２とが建物ユニット１０の一方の桁側側面３５及び他方の桁側側面３５に取り付けられた場合における妻側の寸法Ｄは輸送制限値以下とされていることから、一方の桁側側面３５に外壁面材２４と外壁フレーム２２とを有する外壁パネル１４を取り付けずに、他方の桁側側面３５に外壁面材２４の厚さと同等の断熱材２６を外壁面材２４及び外壁フレーム２２と共に外壁パネル１４として取り付けた場合における妻側の寸法Ｄは輸送制限値以下となり、建物ユニット１０の天井大梁１８、床大梁２０及び柱１６の建物外側面に断熱材２６を設けた構成の建物ユニット１０をトラック８２等の車両で輸送することができる。これらのことから、建物ユニット１０の輸送時に輸送制限値を超えることなく建物ユニット１０の断熱性能を向上させることができる。同時に、建物ユニット１０の天井大梁１８、床大梁２０及び柱１６の建物外側面に断熱材２６を設けた構成の建物ユニット１０を含んで構成されたユニット建物の断熱性能も向上させることができる。
【００５６】
また、本実施形態では以下の効果を得ることができる。
【００５７】
すなわち、外壁パネル１４を構成する外壁フレーム２２の間柱１７は、木材により構成されている。したがって、外壁フレーム２２を介して外壁パネル１４の内外での熱の伝導が抑制されることから、外壁面材２４と外壁フレーム２２との間に設けられる断熱材２６による熱の伝導の抑制効果と併せてより一層の断熱性能の向上を図ることが可能となる。
【００５８】
また、支持金物２８は、側面３６を備えており、側面３６と躯体フレーム１２の天井大梁１８及び床大梁２０とが当接されることで外壁パネル１４は支持金物２８を介して建物ユニット１０の躯体フレーム１２に取り付けられている。側面３６以外の箇所では、支持金物２８と躯体フレーム１２とは間隙６６が形成されており、この間隙６６に間隙用断熱材６８が設けられている。したがって、この間隙６６を通じた熱の伝導を抑制することができる。その結果、建物ユニット１０の内外の熱の伝導を最小限に抑えることができる。これにより、建物ユニット１０の室内の熱損失を一層抑えることができる。
【００５９】
（第２実施形態）
次に、図８〜１０を用いて、本発明の第２実施形態に係る建物ユニットの断熱構造について説明する。なお、前述した第１実施形態等と同一構成部分については、同一番号を付してその説明を省略する。
【００６０】
図８に示されるように、連結外壁パネルとしてのＬ型柱部外壁パネル８８は、建物外側に設けられたＬ型形状の柱部外壁面材９０と、この柱部外壁面材９０の両端部の裏面に配置され柱部外壁面材９０の端部をそれぞれ支持するアングル状の柱部外壁フレーム９１と、この柱部外壁フレーム９１の枠内に配置された柱用断熱材９２と、によって構成されている。
【００６１】
柱部外壁面材９０は、建物ユニット１０の桁方向に沿って設けられる桁側外壁面材９４と、妻方向に沿って設けられる妻側外壁面材９６と、によって構成されている。
【００６２】
柱部外壁面材９０の建物内側面１４０には、柱用断熱材９２が設けられている。この柱用断熱材９２は、柱部外壁面材９０の桁側外壁面材９４に沿って設けられる桁側断熱材１４２と、妻側外壁面材９６に沿って設けられる妻側断熱材１４４とで構成されている。
【００６３】
Ｌ型柱部外壁パネル８８が建物ユニット１０に取り付けられる場合は、柱用断熱材９２の建物内側面１４８を柱１６の建物外側面７４に当接させるように配置すると共に、建物ユニット１０に既に取り付けられている外壁パネル１４の外壁フレーム２２へＬ型柱部外壁パネル８８の柱部外壁フレーム９１を図示しない締結具で締結することで取り付けられている。
【００６４】
図９に示されるように、連結外壁パネルとしての板状柱部外壁パネル１４６は、建物外側に設けられる柱部外壁面材１５０と、この柱部外壁面材１５０の裏面に配置され柱部外壁面材１５０を支持する柱部外壁フレーム１５１と、この柱部外壁フレーム１５１の枠内に設けられる柱用断熱材１５２により構成されている。
【００６５】
柱部外壁面材１５０は、後述する内部建物ユニット１６２の妻方向に沿って設けられている。また、柱部外壁面材１５０は建物上下方向と直交する方向での断面が直線状とされている。さらに、柱部外壁面材１５０の建物内側面１５３には、柱部外壁面材１５０に沿って柱用断熱材１５２が設けられている。
【００６６】
隣接する内部建物ユニット１６２の妻側側面１５８には、外壁パネル１６０がそれぞれ取り付けられている。外壁パネル１６０は、この外壁パネル１６０の一方の端部１５４が柱１６の建物外側面７４と当接すると共に他方の端部１５５は柱１６と離間した状態で外壁フレーム２２を介して躯体フレーム１２へと取り付けられている。
【００６７】
板状柱部外壁パネル１４６は、隣接する内部建物ユニット１６２同士の隣り合う柱１６の建物外側面７４に当接させるようにすると共に、一方の端部に一方の内部建物ユニット１６２の外壁パネル１６０を接合させ、他方の端部に他方の内部建物ユニット１６２の外壁パネル１６０とを接合させることで、一方の内部建物ユニット１６２の外壁パネル１６０と他方の内部建物ユニット１６２の外壁パネル１６０とを板状柱部外壁パネル１４６を介して連結している。
【００６８】
図１０に示されるように、ユニット建物１５６は躯体フレーム１２の桁側側面３５に外壁パネル１４が取り付けられた建物ユニット１０と、桁側側面３５に外壁パネル１４が取り付けられない内部建物ユニット１６２とで構成されている。内部建物ユニット１６２は、ユニット建物１５６の建物外側に面する位置に妻側側面３７の一方が配置されており、このユニット建物１５６の建物外側に面する位置の妻側側面３７にのみ外壁パネル１６０が設けられている。また、この外壁パネル１６０は、建物外側に面する位置の妻側側面３７における一方の柱１６から外壁パネル１４の略板厚分突出されている。つまり、内部建物ユニット１６２の妻側の寸法Ｅ（図９参照）は、一方の桁側側面３５に外壁パネル１４が取り付けられている建物ユニット１０の妻側の寸法Ｄ（図５参照）と略同一とされている。したがって、内部建物ユニット１６２はトラック８２等の車両で工場から建築地へと輸送することができる。
【００６９】
建物ユニット１０と内部建物ユニット１６２とが隣接するそれぞれの妻側側面３７には、Ｌ型柱部外壁パネル８８及び板状柱部外壁パネル１４６が取り付けられている。Ｌ型柱部外壁パネル８８及び板状柱部外壁パネル１４６は、ユニット建物１５６の建築地にてそれぞれ建物ユニット１０と内部建物ユニット１６２との妻側側面３７へ取り付けられる。したがって、一方の桁側側面３５に外壁パネル１４が取り付けられた建物ユニット１０は、工場出荷時では妻側の寸法Ｆ（図８参照）は輸送制限値以内とされるため、トラック８２等の車両で工場から建築地へと輸送することができる。
【００７０】
（第２実施形態の作用・効果）
次に、第２実施形態の作用並びに効果を説明する。
【００７１】
上記構成によれば、ユニット建物１５６を構成する建物ユニット１０と内部建物ユニット１６２とが隣り合う場合のそれぞれの柱１６の建物外側面７４にＬ型柱部外壁パネル８８及び板状柱部外壁パネル１４６が取り付けられることで、建物ユニット１０の外壁パネル１４と内部建物ユニット１６２の外壁パネル１６０とが連結される。また、内部建物ユニット１６２には桁側側面３５に外壁パネル１４が取り付けられないため、妻側側面３７の一方に取り付けられる外壁パネル１６０の妻方向の長さを輸送制限値まで延長することができる。すなわち、妻側側面の外壁パネル１４の妻方向の一方の端部１５４を躯体フレーム１２の柱１６から外壁パネル１４の板厚と同等量突出させることができる。この一方の端部１５４が突出された外壁パネル１６０を有する内部建物ユニット１６２同士を隣接させる場合、外壁パネル１４の突出した一方の端部１５４同士を隣り合って配置させて、端部１５４同士の間の図示しない目地にパッキン等を設けることで、建物ユニット自体の寸法を輸送制限値以内としかつ連結外壁パネル１６４を不要とすることができる。つまり、輸送制限値を超えることなく部品点数を減らすことができる。これにより、コストを低減させることができる。
【００７２】
以上、本発明の実施形態について説明したが、本発明は、上記に限定されるものでなく、その主旨を逸脱しない範囲内において上記以外にも種々変形して実施することが可能であることは勿論である。
【符号の説明】
【００７３】
１０   建物ユニット
１２   躯体フレーム
１４   外壁パネル
１６   柱
１８   天井大梁
２０   床大梁
２２   外壁フレーム
２４   外壁面材
２６   断熱材
３５   桁側側面
７４   建物外側面
８６   意匠面（外壁面材の建物外側面）
８８   Ｌ型柱部外壁パネル（連結外壁パネル）
１４６ 板状柱部外壁パネル（連結外壁パネル）
１５４ 端部
１６０ 外壁パネル
１６２ 内部建物ユニット
【図２】
2015161160.tif 000003
【図３】
2015161160.tif 000004
【図４】
2015161160.tif 000005
【図５】
2015161160.tif 000006
【図６】
2015161160.tif 000007
【図７】
2015161160.tif 000008
【図８】
2015161160.tif 000009
【図９】
2015161160.tif 000010
【図１０】
2015161160.tif 000011
【図１】
2015161160.tif 000012